(57)【要約】      （修正有）【課題】外部との接続状態や内蔵電池の容量に応じて、外部電力供給源から電池或いは外部電気製品への電力供給や、電池から外部電気製品への電力供給を制御可能であり、更に、ＡＣコンセントなどへの接続が便利で使いやすいと共に、突起がなく携帯にも利便な充電器を提供する。【解決手段】充電器において、電力受入端子、電力供給端子、充放電可能な電池、電力の出入及び電池の充放電を司る制御装置とを備え、制御装置が、電力受入端子及び電力供給端子の接続有無と、電池の容量に応じて、外部電力供給源から電池或いは外部電気製品への電力供給と、電池から外部電気製品への電力供給とを制御する回路を有し、また、電力受入端子が、充電器本体の外面に設けられた凹部に収容されて配設され、その凹部内の本体側係合部に対して回動可能に係合する電力受入端子側係合部を有し、その回動によって、電力受入端子の端部が凹部から出没自在である構成とする。【選択図】図１
0003125314.tif 000002
【実用新案登録請求の範囲】
【請求項１】
電気製品に着脱自在に接続されて、その電気製品への電力供給を行う充電器であって、
外部の電力供給源に接続される電力受入端子と、外部へ電力出力する電力供給端子と、充放電可能な電池と、それらに接続され電力の出入及び電池の充放電を司る制御装置とを備え、
制御装置が、
電力受入端子及び電力供給端子の接続有無と、電池の容量に応じて、
外部電力供給源から電池或いは外部電気製品への電力供給と、電池から外部電気製品への電力供給とを自動制御する回路を有し、
また、電力受入端子が、
充電器本体の外面に設けられた凹部に収容されて配設され、
その凹部内の本体側係合部に対して回動可能に係合する電力受入端子側係合部を有し、
その回動によって、電力受入端子の端部が凹部から出没自在である
ことを特徴とする充電器。
【請求項２】
電気製品に着脱自在に接続されて、その電気製品への電力供給を行う充電器であって、
外部の電力供給源に接続される電力受入端子と、外部へ電力出力する電力供給端子と、充放電可能な電池と、それらに接続され電力の出入及び電池の充放電を司る制御装置とを備え、
制御装置が、
付設スイッチの操作によって、
外部電力供給源から電池或いは外部電気製品への電力供給と、電池から外部電気製品への電力供給とを制御する回路を有し、
また、電力受入端子が、
充電器本体の外面に設けられた凹部に収容されて配設され、
その凹部内の本体側係合部に対して回動可能に係合する電力受入端子側係合部を有し、
その回動によって、電力受入端子の端部が凹部から出没自在である
ことを特徴とする充電器。
【請求項３】
凹部内に配置された本体側係合部が、略棒状の軸体であると共に、
電力受入端子側係合部が、その軸体を貫入させて支持する略孔状の孔部である
請求項１または２に記載の充電器。
【請求項４】
電力受入端子側係合部が、略棒状の軸体であると共に、
凹部内に配置された本体側係合部が、その軸体を貫入させて支持する略孔状の孔部である
請求項１または２に記載の充電器。
【請求項５】
充放電可能な電池が、その収容空間に着脱自在に配置される
請求項１ないし４に記載の充電器。
【請求項６】
電力供給端子がＵＳＢ端子であり、
そのＵＳＢ端子と外部の電気製品の電力受入端子とを接続するケーブルを備える
請求項１ないし５に記載の充電器。
【請求項７】
充電器本体の外形が携帯容易な略直方体形状であり、
充電対象の電気製品が携帯式電話機端末である
請求項１ないし６に記載の充電器。
【考案の詳細な説明】
【技術分野】
【０００１】
本考案は、携帯電話などの電気製品に着脱自在に接続されて、少なくとも電気製品への電力供給を行う充電器の構成に関する。
【背景技術】
【０００２】
携帯電話などの電気製品に接続して利用する従来の外部充電器は、その電気製品に専用であるのものがほとんどであり、携帯の利便と使いやすさとを兼ね備えたものは稀であった。
例えば、屋内のＡＣコンセントに接続して充電する携帯電話用の充電器には、特許文献１、２がある。
【特許文献１】特開２００４−３２４８０「携帯電話の充電器具」
【特許文献２】特開２００１−３４６３３５「充電器」
【０００３】
このような従来の充電器によると、全体の形状に凹凸が多く、携帯には便利でなかった。全体の外形を略塊状にして持ち運びやすくした充電器もあるが、特にＡＣコンセントに接続する電力受入端子は突出した状態に固定されていた。
電力受入端子などが突出した状態であると使いやすいが、その突起によって携帯には不便であった。
【考案の開示】
【考案が解決しようとする課題】
【０００４】
そこで、本考案は、外部との接続状態や内蔵電池の容量に応じて、外部電力供給源から電池或いは外部電気製品への電力供給や、電池から外部電気製品への電力供給を制御可能であり、更には、ＡＣコンセントなどへの接続が便利で使いやすいと共に、突起がなく携帯にも利便な充電器を提供することを課題とする。
【課題を解決するための手段】
【０００５】
上記課題を達成するため、本考案の充電器は、次の構成を備える。
すなわち、電気製品に着脱自在に接続されて、その電気製品への電力供給を行う充電器において、外部の電力供給源に接続される電力受入端子と、外部へ電力出力する電力供給端子と、充放電可能な電池と、それらに接続され電力の出入及び電池の充放電を司る制御装置とを備え、制御装置が、電力受入端子及び電力供給端子の接続有無と、電池の容量に応じて、外部電力供給源から電池或いは外部電気製品への電力供給と、電池から外部電気製品への電力供給とを制御する回路を有し、また、電力受入端子が、充電器本体の外面に設けられた凹部に収容されて配設され、その凹部内の本体側係合部に対して回動可能に係合する電力受入端子側係合部を有し、その回動によって、電力受入端子の端部が凹部から出没自在である構成を特徴とする。
そのために、外部の電力供給源に接続可能であり、電力受入を司る電力受入端子と、その外部からの電力受入と、外部の電気製品への電力供給とを少なくとも司る制御装置と、その制御装置に接続され、充放電可能である電池と、外部への電力供給を司る電力供給端子とを設け、制御装置が、電力受入端子を介して充電器を外部電力供給源のみに接続した場合には、充電器内の電池を充電し、電力供給端子を介して充電器を外部電気製品のみに接続した場合には、充電器内の電池で外部電気製品に電力を供給し、充電器を電力受入端子を介して外部電力供給源に接続すると共に、電力供給端子を介して外部電気製品に接続した場合には、充電器内の電池が充電可能であると共に、外部電気製品に電力を供給可能とする自動制御回路を有し、また、電力受入端子が、充電器本体の外面に設けられた凹部に収容されて配設され、その凹部内に配置された本体側係合部に対して回動可能に係合する電力受入端子側係合部を有し、その本体側係合部に対して電力受入端子側係合部を回動させた場合には、電力受入端子の端部が凹部の外に突出するように構成する。
【０００６】
また同様に、制御装置にスイッチを付設し、そのスイッチの手動操作によって、外部電力供給源から電池或いは外部電気製品への電力供給と、電池から外部電気製品への電力供給とを切替制御する回路を設けて、使用者の用途に応じられるようにしてもよい。
【０００７】
ここで、凹部内に配置された本体側係合部を、略棒状の軸体とすると共に、電力受入端子側係合部を、その軸体を貫入させて支持する略孔状の孔部として、接続の利便と携帯の利便とに寄与させてもよい。
【０００８】
同様に、電力受入端子側係合部を、略棒状の軸体とすると共に、凹部内に配置された本体側係合部を、その軸体を貫入させて支持する略孔状の孔部として、接続の利便と携帯の利便とに寄与させてもよい。
【０００９】
また、充放電可能な電池を、その収容空間に着脱自在に配置することで、電池を取り出して別の用途に使うことに寄与させてもよい。
【００１０】
また、電力供給端子をＵＳＢ端子とし、そのＵＳＢ端子と外部の電気製品の電力受入端子とを接続するケーブルを設けて、多様な電気製品への使用に寄与させてもよい。
【００１１】
本考案の適用例としては、充電器本体の外形を携帯容易な略直方体形状とし、充電対象の電気製品を携帯式電話機端末とした充電器が有用である。
【考案の効果】
【００１２】
本考案によると、携帯便利な充電器により、充電器内の電池の充電や、充電器内の電池による外部電気製品への電力供給を適宜行え、また、充電器本体の外面に設けられた凹部に収容された電力受入端子を、必要に応じて容易に突出させられるので、使用と携帯との両面で便利である。
【考案を実施するための最良の形態】
【００１３】
以下に、本考案の実施形態を図面に基づいて説明する。
ここでは、リチウムイオン電池を内蔵し、外形が平らな略直方体の充電器を例示する。しかし、内蔵する電池のタイプは、ニッカド電池や小形シール鉛畜電池など、充放電可能な２次電池を適宜利用できる。また、外形も、略楕円注状など、持ち運びやすい形状を適宜採用できる。
また、ここでは、電力供給対象の外部電気製品として携帯電話を例示するが、例えば充電式の髭剃器など、充電式の電気製品一般に適用できる。
【００１４】
図１は、電力受入端子を収容した状態を示す充電器の背面図、図２は、電力受入端子を立設した状態を示す充電器の背面図である。
充電器の本体部（１０）の外形は、平らな略直方体形状であり、全体の大きさは、およそ縦８ｃｍ、横５ｃｍ、厚み２ｃｍである。
充電器の本体部（１０）の内部には、外部からの電力受入と外部の電気製品への電力供給とを司る制御装置と、その制御装置に接続され充放電可能である電池とが配設される。
また、本体部（１０）の外面部には、家屋に配設されたＡＣコンセントなど外部の電力供給源に接続可能であり、電力受入を司る電力受入端子（２０）と、外部への電力供給を司る電力供給端子（３０）とが配設される。
【００１５】
電力受入端子（２０）は、本体部（１０）の外面に設けられた凹部（２１）に収容されて配設される。
図示の凹部（２１）は略直方体状であり、本体部（１０）の角近傍に設けられているが、電力受入端子（２０）を収容できればよく、形状や位置は適宜選定できる。
【００１６】
凹部（２１）内には、本体部（１０）から略棒状の軸体（２２）が立設している。その軸体（２２）は、略板状のフランジ（２３）の孔部（２４）に挿通している。この軸体（２２）と孔部（２４）との係合によって、フランジ（２３）が軸体（２２）に対して回動可能に構成されている。
フランジ（２３）には、電力受入端子（２０）の端部に相当するプラグ部（２５）が連設されるので、プラグ部（２５）が、軸体（２２）を介して本体部（１０）に対して回動自在である。
軸体（２２）を中心にして、プラグ部（２５）を９０°回転させるだけで、図２に示すように、プラグ部（２５）を本体部（１０）から容易に突出させることができる。
【００１７】
図示の例では、電力受入端子（２０）と本体部（１０）との係合を、略孔状の孔部（２４）と略棒状の軸体（２２）との組み合わせで司った。しかし、電力受入端子側係合部と本体側係合部との係合関係は任意であり、単なる凹凸嵌合など従来公知の係合手段が適宜利用でき、その係合を介して、電力受入端子（２０）が本体部（１０）に対して回動可能に支持されればよい。
【００１８】
例えば、図示の例とは逆に、電力受入端子（２０）の側に、軸体（２２）に類する突起を設け、その突起に係合する孔を本体部（１０）の側に設けてもよい。
【００１９】
図３は、本考案の実施形態を示す正面説明図である。説明用のため、各部材の縮尺は実物とは異なる。
本体部（１０）の電力供給端子（３０）の端子には、ケーブル（４０）を介して、携帯電話機（５０）が接続される。
電力供給端子（３０）の端子タイプは任意であり、例えばＵＳＢ端子が使用可能である。すると、特定の携帯電話機等に限定されず、多様な電気製品に接続可能となる。
【００２０】
図４は、別実施例の正面説明図である。
ケーブル（４０）が本体部（１０）と一体的に構成されている。
ケーブル（４０）は、異なる端子（４２）を有する複数本を、本体部（１０）に接合してもよいし、端子（４２）のタイプを変換するプラグを付設してもよい。
【００２１】
以上のような充電器によると、携帯電話機（５０）等の電気製品への充電と、電力受入端子（２０）からの蓄電とを、同時にも、選択的にも行える。
そのためには、制御装置に、電力受入端子（２０）を外部電力供給源のみに接続した場合には、内蔵電池を充電し、電力供給端子（３０）を外部電気製品のみに接続した場合には、内蔵電池で外部電気製品に電力を供給し、電力受入端子（２０）を外部電力供給源に接続すると同時に電力供給端子（３０）を外部電気製品に接続した場合には、内蔵電池を充電可能であると共に、外部電気製品に電力を供給可能とする制御回路を設ける。
これによって、電力受入端子（２０）や電力供給端子（３０）が外部に接続されているか否かの状態や、内蔵電池の容量に応じて、外部電力供給源から内蔵電池或いは外部電気製品への電力供給や、内蔵電池から外部電気製品への電力供給を自在に制御可能となる。なお、電力受入端子（２０）を外部電力供給源に接続すると同時に電力供給端子（３０）を外部電気製品に接続した場合には、内蔵電池を介する回路を用いてもよいし、介さない回路を用いてもよい。
【００２２】
このような制御回路は、自動制御回路でも手動制御回路でもよい。
手動制御の場合には、制御装置に手動操作式のスイッチを付設する。そのスイッチの手動操作によって、外部電力供給源から電池或いは外部電気製品への電力供給と、電池から外部電気製品への電力供給とが切替制御される回路を設ける。
手動操作可能であると、電池の充電か電気製品の充電か、使用者の用途を優先して利用できるようになる。
【００２３】
これらの状態は、ランプ（１１）によって視認可能である。
ランプ（１１）の明度や点灯消灯によって、内蔵電池の残容量や充放電状態を指示する。
【００２４】
なお、本装置で使用する電池は、必ずしも固定内蔵式の電池でなくてもよい。
本体部（１０）の裏面等にキャップを設けると共に、そのキャップ下に電池の収容空間を設けて、２次電池を本体部（１０）に対して着脱自在な構成にしてもよい。
すると、本装置で充電された電池を取り出して、他の電気製品に利用することが可能になる。また、本装置に装着してランプ（１１）の明度を観察することで、その電池の容量チェックに利用することも可能になる。
【産業上の利用可能性】
【００２５】
本考案によると、電力受入端子のプラグ部を回動させるだけの簡易操作で出没させられるので、ＡＣコンセントなどへの接続が便利で使いやすいと共に、携帯時には突起部分をなくすことができるので運びやすい利点も兼ね備え、産業上利用価値が高い。
【図面の簡単な説明】
【００２６】
【図１】電力受入端子を収容した状態を示す充電器の背面図
【図２】電力受入端子を立設した状態を示す充電器の背面図
【図３】実施形態を示す正面説明図
【図４】別実施例の正面説明図
【符号の説明】
【００２７】
１０  本体部
１１  ランプ
２０  電力受入端子
２１  凹部
２２  軸体
２３  フランジ
２４  孔部
２５  プラグ部
３０  電力受入端子
４０、４０’  ケーブル
４１、４２、５１  端子
５０  携帯電話機
【図１】
0003125314.tif 000003
【図２】
0003125314.tif 000004
【図３】
0003125314.tif 000005
【図４】
0003125314.tif 000006